(57)【要約】【課題】  粘土工芸用人体ひな形を簡単に固定するための支持ベースを提供する。【解決手段】  断面がコ字形である四方体のベース本体１０を有し、該ベース本体の上側にマトリクス状に配列する複数の設置孔１１が形成されることを特徴とする。【選択図】  図１
0003105659.tif 000002
【実用新案登録請求の範囲】
【請求項１】
断面がコ字形である四方体のベース本体を有し、
該ベース本体の上側にマトリクス状に配列する複数の設置孔が形成されることを特徴とする、
粘土工芸用人体ひな形の支持ベース。
【請求項２】
前記ベース本体の内部中央に固定柱が設けられることを特徴とする、請求項１に記載の粘土工芸用人体ひな形の支持ベース。
【考案の詳細な説明】
【技術分野】
【０００１】
本考案は、特に粘土工芸用人体ひな形を固定するための支持ベースに関するものである。
【背景技術】
【０００２】
粘土工芸の初心者はひな形を作ることがとても難しいと思い、特に人体ひな形を作る際は、比例を掌握し難いために製造した模型の比例が不対称になり易い。そこで粘土工芸を簡単に進めるために、ベース板に粘土工芸用人体のひな形を固定し、該粘土工芸用人体ひな形に粘土を取り付けることで粘土工芸を簡単にしている。
【０００３】
図８に示すように、従来の粘土工芸用人体ひな形（８０）をベース板（７０）に固定する方法としては、ネジなどの固定部材（７１）を粘土工芸用人体ひな形（８０）に貫通して取り付けることで、粘土工芸用人体ひな形（８０）をベース板（７０）に固定している。
【考案の開示】
【考案が解決しようとする課題】
【０００４】
粘土工芸用人体ひな形（８０）を用いて、踵を上げた状態を表す場合、該粘土工芸用人体ひな形（８０）を安定的にベース板（７０）に固定するため、粘土工芸用人体ひな形（８０）の下方に固定部材（７１）の設置用固定部（８１）を設けているが、この固定部（８１）は粘土工芸用人体ひな形（８０）の整体感覚に悪影響を与える。
【０００５】
また、ネジなどの固定部材（７１）によって粘土工芸用人体ひな形（８０）をベース板（７０）に固定する場合は、ドライバーなどの工具を使用しなければならない不都合がある。また、粘土工芸用人体ひな形（８０）の設置位置を変更する場合には、一度固定した該固定部材（７１）を固定部（８１）から取り外して固定し直す必要があるので非常に不便であった。
【０００６】
本考案は以上の点に鑑みて成されたもので、その目的とするところは、粘土工芸用人体ひな形を簡単に固定するための支持ベースを提供することにある。
【課題を解決するための手段】
【０００７】
第１の考案は、断面がコ字形である四方体のベース本体を有し、該ベース本体の上側にマトリクス状に配列する複数の設置孔が形成されることを特徴とする粘土工芸用人体ひな形の支持ベースを提供する。
第２の考案は、前記第１の考案において、前記ベース本体の内部中央に固定柱が設けられることを特徴とする粘土工芸用人体ひな形の支持ベース、を提供する。
【考案の効果】
【０００８】
本考案は上記した課題を解決するものであり、断面がコ字形である四方体のベース本体を有し、該ベース本体の上側にマトリクス状に配列する複数の設置孔が形成されることにより、従来のような固定部材を用いなくても簡単に粘土工芸用人体ひな形を固定することができて非常に便利である。
【考案を実施するための最良の形態】
【０００９】
以下、添付図面を参照して本考案の好適な実施の形態について詳細に説明する。尚、以下の実施例は本考案の好適な実施の形態を示したものに過ぎず、本考案の技術的範囲は下記の実施例そのものに限定されるものではない。
【００１０】
図１は本考案に係る粘土工芸用人体ひな形の支持ベースの斜視図であり、図２は本考案に係る粘土工芸用人体ひな形の支持ベースの第一実施例を示す断面図であり、図３は本考案に係る粘土工芸用人体ひな形の支持ベースの第二実施例を示す断面図であり、図４は本考案に係る粘土工芸用人体ひな形の支持ベースの第一実施例の使用状態を示す平面図であり、図５は本考案に係る粘土工芸用人体ひな形の支持ベースの第二実施例の使用状態を示す平面図であり、図６は図５の斜視図であり、図７は図５の粘土工芸用人体ひな形に粘土を付ける状態を示す斜視図である。
【実施例１】
【００１１】
図１に示すように、本考案に係る粘土工芸用人体ひな形の支持ベースは、断面がコ字形である四方体のベース本体（１０）を有し、該ベース本体（１０）の上側にマトリクス状に配列する複数の設置孔（１１）が形成される。
【００１２】
図１、図２及び図４に示すように、本考案に係る粘土工芸用人体ひな形の支持ベースを使用する場合、粘土工芸用人体ひな形（２０）における金属糸（２１）をベース本体（１０）の設置孔（１１）に貫通させ、各金属糸（１１）をベース本体（１０）の内部で互いに巻き付けるだけでよい。
【実施例２】
【００１３】
又、図３、図５及び図６に示すように、本考案に係る粘土工芸用人体ひな形の支持ベースは前記実施例１と殆ど等しく、異なるのはベース本体（１０）の内部中央に金属糸（２１）を巻き付けるための固定柱（１２）を設けたことである。固定柱（１２）を設けたことにより、金属糸（２１）を設置孔（１１）に貫通させた後、固定柱（１２）に巻き付けることができるので、粘土工芸用人体ひな形（２０）の固定効果を向上させることができる。
【００１４】
粘土工芸用人体ひな形（２０）をベース本体（１０）に設置した後、更に設置箇所を変更しない場合、ベース本体（１０）の内部における金属糸（２１）に粘土を付けることにより、粘土工芸用人体ひな形（２０）の固定効果を更に向上させることができる。
【００１５】
又、図５乃至図７に示すように、本考案を使用する場合、ネジなどの固定部材や固定部が要らないので、粘土工芸用人体ひな形（２０）の整体感覚に悪影響を与える問題を解決できる。又、粘土工芸用人体ひな形（２０）の設置箇所を変更したい場合は、金属糸（２１）を弛めて再び設置孔（１１）に挿入し直すだけでよく、非常に便利である。
【００１６】
本考案は上記した構成を有するので、断面がコ字形である四方体のベース本体を有し、該ベース本体の上側にマトリクス状に配列する複数の設置孔が形成されることにより、固定部材を用いなくても簡単に粘土工芸用人体ひな形を固定することができて、非常に便利である。
【図面の簡単な説明】
【００１７】
【図１】本考案に係る粘土工芸用人体ひな形の支持ベースの斜視図である。
【図２】本考案に係る粘土工芸用人体ひな形の支持ベースの第一実施例を示す断面図である。
【図３】本考案に係る粘土工芸用人体ひな形の支持ベースの第二実施例を示す断面図である。
【図４】本考案に係る粘土工芸用人体ひな形の支持ベースの第一実施例の使用状態を示す平面図である。
【図５】本考案に係る粘土工芸用人体ひな形の支持ベースの第二実施例の使用状態を示す平面図である。
【図６】図５の斜視図である。
【図７】図５の粘土工芸用人体ひな形に粘土を付ける状態を示す斜視図である。
【図８】従来のベース板及び粘土工芸用人体ひな形を示す斜視図である。
【符号の説明】
【００１８】
１０        ベース本体
１１        設置孔
１２        固定柱
２０        人体ひな形
２１        金属糸
７０        ベース板
７１        固定部材
８０        人体ひな形
８１        固定部
【図１】
0003105659.tif 000003
【図２】
0003105659.tif 000004
【図３】
0003105659.tif 000005
【図４】
0003105659.tif 000006
【図５】
0003105659.tif 000007
【図６】
0003105659.tif 000008
【図７】
0003105659.tif 000009
【図８】
0003105659.tif 000010